(57)【要約】【課題】  固形石鹸の収納具を兼ねた手が滑らない洗濯用ブラシを得ることを目的とした。【解決手段】固形石鹸の収納具を兼ねた袋状の洗濯用ブラシにおいて、少なくとも表をラシェル網とした通水性生地で、手のひら大の袋を形成すると共に、該袋の口端部に閉じ紐を挿通して締着自在とし、前記袋の口部近辺に親指用孔を設けたことを特徴とする固形石鹸収納具を兼ねた袋状の洗濯用ブラシで、前記課題を解決した。【選択図】図１
0003155623.tif 000002
【実用新案登録請求の範囲】
【請求項１】
固形石鹸の収納具を兼ねた袋状の洗濯用ブラシにおいて、
少なくとも表をラシェル網とした通水性生地で、手のひら大の袋を形成すると共に、該袋の口端部に閉じ紐を挿通して締着自在とし、前記袋の口部近辺に親指用孔を設けたことを特徴とする固形石鹸収納具を兼ねた袋状の洗濯用ブラシ。
【請求項２】
固形石鹸の収納具を兼ねた袋状の洗濯用ブラシにおいて、
表をラシェル網１枚、裏側をフラット網１枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシ。
【請求項３】
固形石鹸の収納具を兼ねた袋状の洗濯用ブラシにおいて、
表をラシェル網１枚、裏側をフラット網２枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシ。
【請求項４】
固形石鹸の収納具を兼ねた袋状の洗濯用ブラシにおいて、
表をラシェル網２枚、裏側をフラット網２枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシ。
【考案の詳細な説明】
【技術分野】
【０００１】  この考案は、固形石鹸の収納具を兼ねた袋状の洗濯用ブラシに関する。更に詳しくは、種類の異なるネットを二重、三重又は四重に組合わせた生地で作った袋を、洗濯用ブラシとして使用し、洗濯終了後は、そのまま石鹸の収納具とするネット製の袋で、固形石鹸の収納具を兼ねた袋状の洗濯用ブラシに関する。
【背景技術】
【０００２】  みかんを包装したネットを利用し、これに固形石鹸を入れて洗濯に使用し、使用後これを吊るして水切りする簡易な利用方法が知られている。
【先行技術文献】
【特許文献】
【０００３】  また、スポンジを柔軟性のあるネットで包んだボディ洗浄用スポンジが提案されている。更に、連続セル構造のスポンジ体からなるセル経の異なる２枚を重合したものを袋状に形成し、内部に石鹸収容部を設けた構造の石鹸収納具を兼ねた洗浄具が提案されている（特許文献１参照）。【０００４】  また、ファスナーを備えた洗濯石鹸の袋の提案がある（特許文献２参照）【０００５】  さらに、柔軟なゴム板で手提げ状体の壁面に無数の透孔を穿設し、内壁面に硬ゴムの凸条を設け、凸条の上面に鋸歯形の凹凸を設けた屑石鹸使用器が知られている（特許文献３参照）。
さらに、固形石鹸の収納具を兼ねた洗濯用ブラシがある。これはこの出願人の提案に係るものである（特許文献４参照）。【０００６】
【特許文献１】特開２００１−３４６７１２号公報（第１頁）
【特許文献２】実開昭５８−１８５９９４号公報（第１頁）
【特許文献３】実公昭３２−１６１６８号公報（第１頁）
【特許文献４】実用新案登録第３１０５５７１号（第１頁）
【考案の概要】
【考案が解決しようとする課題】
【０００７】  運動用ウエアー・野球用ユニホーム、競技用運動靴は泥等でひどく汚れる場合が多く、これを洗濯する場合、洗濯機では十分な洗濯ができない。そこで、この場合には、洗濯機による洗濯の前処理又は洗濯に、固形石鹸とブラシを併用する手洗い洗濯が有効である。【０００８】  固形石鹸とブラシによる洗濯では、石鹸がブラシの握り柄又は手に付着して、手がつるつると滑って、力を入れて十分な洗濯ができない等の問題があった。【０００９】  また、通常固形石鹸は、裸のまま使用し、使用後は石鹸箱等に保管するが、水切りが十分でないときは、石鹸が溶けてしまい、無駄が生じることが多かった。また、石鹸が消耗して小さくなると、最後の小片まで使用することが難しく、無駄が生じていた。
【課題を解決するための手段】
【００１０】  そこで、本考案は、前記諸課題を解決した固形石鹸の収納具を兼ねた手が滑らない袋状の洗濯用ブラシを得ることを目的とした。【００１１】  この考案は、性質の異なる２種類の網を組み合わせて、夫々が有する網の特有の機能及び効果を相乗的に発揮できるように構成したものである。【００１２】  この考案の固形石鹸の収納具を兼ねた袋状の洗濯用ブラシ（以下「洗濯用ブラシ」という）の形状及び構造は、ラッシェル網を表側にし、２種の網を組み合わせたものを生地として、片手がすっぽり入る大きさの手袋の形状をした袋を作る。袋の底部は両側角部を円くなるよう欠切する。いわゆる、ミトン手袋の親指の欠けた形状のものである。これを手に装着した場合、４本の指の先端部全体が緩やかな弧を描いたような形状である。【００１３】  生地の袋への加工は、必要な箇所を常法のミシン縫製で行う。
また、袋の口部の近辺に、これを手に装着した際、親指が袋の外に突出するように親指の付け根の位置に、親指用孔を設けてある。親指用孔は、袋の生地の合わせ目の当該箇所を縫い合わせないことで形成できる。
袋の口端部は、袋縫いにして、これに口部の閉じ紐を挿通し、締着自在とし、且つ閉じ紐に摺動可能な止め具を装着する。【００１４】  現在、種々のネットの原料は、ナイロンやポリエステル等の合成繊維が主流となっているが、ネットの種類は大別すると、結節点の作り方により、結節網、無結節網、ラッシェル網に分けられる。【００１５】  この考案で使用する網の１つは、ラッシェル網である。ラッシェル網は、予め原糸を引き揃え整形し、これをループ糸を振り糸として、相互に絡み合わせながら、網糸を編むと同時に、網目を作っていく径メリヤス構造の網であり、外見上は結び目がないものであり、伸縮性を有する。糸は合成繊維を使用したものである（以下「ラッシェッル網」という）。【００１６】  他の１種は、伸縮性の少ない、椎茸等の個包装に使用されている結節点を設けていない押出し成形により生産された合成樹脂製のネットで、引っ張っていなくとも網が縮まないものであり、伸縮性が殆どないものである（以下「フラットネット」という）。【００１７】  袋の表面側にラッシェル網を配し、これで洗濯物を擦ると、微細な糸で形成された網目の無数の小さな突起部及び小さな糸のループが、洗濯用ブラシ（刷毛）の毛先と同様な働きをするので、洗濯物の表面に付いた汚れを素早く落とすことができ洗浄効果が高い。【００１８】  袋の内側は、常にフラットネットであるから、殆ど伸縮性が無く、且つ中指と薬指との間に指分けを設けてあるので、力を入れて擦っても袋の中に挿入した指の移動が殆ど生じないから、力がそのまま洗濯物に伝えることができ、素早く確実に作業ができる。【００１９】  即ち、この考案は、固形石鹸の収納具を兼ねた袋状の洗濯用ブラシにおいて、少なくとも表をラシェル網とした通水性生地で、手のひら大の袋を形成すると共に、該袋の口端部に閉じ紐を挿通して締着自在とし、前記袋の口部近辺に親指用孔を設けたことを特徴とする固形石鹸収納具を兼ねた袋状の洗濯用ブラシであり、固形石鹸の収納具を兼ねた袋状の洗濯用ブラシにおいて、表をラシェル網１枚、裏側をフラット網１枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシである。
また、他の考案は、固形石鹸の収納具を兼ねた袋状の洗濯用ブラシにおいて、表をラシェル網１枚、裏側をフラット網２枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシであり、固形石鹸の収納具を兼ねた袋状の洗濯用ブラシにおいて、表をラシェル網２枚、裏側をフラット網２枚を組とした生地で、袋の底部が緩やかなＵ字形となる様に底部の両側角端部を欠切した同形の２枚の裁断片を縫い合わせて、手のひら大の袋を形成すると共に、該袋の口端部の周囲を袋縫いにし、前記袋縫いの中に閉じ紐を挿通し、前記閉じ紐に止め具を摺動可能に装着し、更に該袋の底部の頂点から垂直に所定の長さの指分けを２枚の裁断片を一緒に縫い綴じを施して形成し、該袋の口部近辺に親指用孔を設けたことを特徴とする袋状の固形石鹸の収納具を兼ねた袋状の洗濯用ブラシでもある。
【考案の効果】
【００２０】  この考案の洗濯用ブラシを使用すると、袋の中に収納した固形石鹸を直接手で掴んで作業をすることができ、手が滑らないから、作業性を十分に確保して石鹸の使用ができる。
また、石鹸が消耗して小さくなっても、最後の小片まで使用することができ、石鹸の無駄が生じない。【００２１】また、また、親指用孔から袋の外に突出した親指が自在に使えるから、洗濯作業が、効率よくできる。この洗濯用ブラシを手に装着した場合、中指と薬指との間に指の移動を防止する指分けを設けてあるので、指の滑り及び左右への移動を阻止できるから、作業の安定性が一層増す。【００２２】  袋は、同形の２枚の生地の裁断片を縫い合わせていて、表、裏が対象であるから右利き、左利きの何れの人でも、支障なく使用できる。【００２３】  通水性のある種類の異なるネットを複数枚重ねたので、作業の際、ネット同士が擦れ合って石鹸の泡立ちが極めて良くなり、細かな泡が形成され、汚れを落とす洗浄効果が高まる効果がある。【００２４】  また、ひどい汚れも十分に落せるから、通常の洗濯ブラシを使用した場合と比較して、ラッシェル網を使用したものは、耐摩耗性が高く且つ、当りが柔らかいから洗濯物の生地を傷める度合いが少なく、洗濯効果が十分に得られる。【００２５】  この洗濯用ブラシの使用後は、これを壁面のフック等に掛止すると、通水性があるから速やかに水切りがされ固形石鹸が乾燥する。従って、水切りの良い固形石鹸の収納具となり、石鹸が無駄にならない。
【図面の簡単な説明】
【００２６】
【図１】この考案の洗濯用ブラシの使用状態を示す概念図。
【図２】（ａ）同じく、実施例１の構成を示すＡ−Ａの断面の概念図。（ｂ）同じく、実施例２の構成を示すＡ−Ａの断面の概念図  （ｃ）同じく、実施例３の構成を示すＡ−Ａの断面の概念図
【考案を実施するための形態】
【００２７】  この考案は、通水性のある性質の異なる２種類の網を組み合わせて、夫々が有する網の特有の機能及び効果を相乗的に発揮できるように構成したものである。
【００２８】  この考案の実施例で使用するラッシェル網は、合成樹脂繊維の市販のラッシェル網で、網目が４ｍｍのものを使用した。これは、（株）大創産業社製、商品名ナイロンタオルに使用されているラッシェル網を転用した。
【００２９】  この考案の実施例で使用するフラットネットは、市販のナイロン製ネットで、網目が４ｍｍのものを使用した。大日本プラスチック（株）社製、商品名ネトロンのフラットタイプ（Ｆ４１０Ｔ）を使用した。
【００３０】  止め紐は、市販の合成樹脂繊維製の紐であり、木綿製のものであっても使用できる。テープ状のものであっても良い。また、閉じ紐に代えて、ゴム紐を用いても良い。
【００３１】この考案の洗濯用ブラシの実施態様は、以下の構成のものを含む。
【００３２】（１）袋の生地が、表がラッシェル網１枚、裏側がフラットネット１枚を重ねたものとしたものである（ネット２枚構成）。
（２）袋の生地が、表がラッシェル網１枚、裏側がフラットネット２枚を重ねたものとしたものである（ネット３枚構成）。
（３）袋の生地が、表がラッシェル網２枚、裏側がフラットネット２枚を重ねたものとしたものである（ネット４枚構成）。
【００３３】  表側をラシェル網、裏側をフラット網とした複数の網を重ねた生地で、袋の底部が緩やかなＵ字形となる様に底部の両側角端部を欠切した同形の２枚の裁断片を用意して、これを縫い合わせて、手の平の大さの袋を形成する。言うなれば、ミトン手袋の親指のない形である。裁断片は、裁断箇所からほつれ易いので、縁かがり等のほつれ止め加工を施すのが望ましい。袋の底部は両側部を円くなるよう欠切するが、これを欠切しないで、方形の形状のままのものであっても、洗濯用ブラシとして使用できる。
【００３４】この袋の口端部の周囲を全長に亘り袋縫いにし、この袋縫いの中に閉じ紐を挿通する。
さらに、閉じ紐に止め具を摺動可能に装着する。
また、この洗濯用ブラシを手に装着した場合、手首に固定するための閉じ紐又はゴム紐を挿入するための袋綴じを設けないものであっても差し支えない。
【００３５】  また、袋の底部の頂点から垂直に所定の長さ（約５０ｍｍ）の指分けを形成するが、これは２枚の裁断片を一緒に縫い綴じをしたものである。
また、指分けを設けない構造ものであっても、十分に洗濯用ブラシの機能を発揮できる。
【００３６】  さらに、袋の口部に近辺に親指用孔を設けるが、これは、袋の縫製の際、この箇所を縫い合わせないことで、自然に形成される。
【００３７】  実施例では、洗濯用ブラシの寸法は、袋の口部の幅１２０ｍｍ、袋の深さは頂部まで２００ｍｍ、のものを作成したが、この寸法は厳密に規定する必要はない。手に装着して作業のできる大きさのもの（略手の平の大きさ）であれば差し支えない。
【００３８】  縫製は、生地から裁断し縁かがりした、２枚の同形の裁断片を縫い合わせて袋状にする。また、縫製後、袋を表裏引っくり返して、縫い目が袋の内側になる構成にしても良く、どちらの構造のものであっても、機能に支障はない。
【００３９】  この考案の洗濯用ブラシの使用方法を以下に説明する。
【００４０】  袋状の洗濯用ブラシに固形石鹸を収納し、次いで手袋を嵌めるように、袋の中に利き手の方を挿入して、親指を袋の口近辺に設けてある親指用孔から突出させた状態にして装着する。さらに、指先に設けてある指分けが中指と薬指との間に位置する様にする。
次に、袋の中にある固形石鹸を素手で掴んで、汚れた箇所を擦り、ブラシとして使用する。また、親指用孔から袋の外に突出した親指が自在に使えるから、洗濯作業が効率よく進む。
【００４１】  使用後の洗濯用ブラシは、そのまま水切りをして、固形石鹸を収納したまま、閉じ紐を絞って袋の口を締め、締めた口部に止め具を摺動し、閉じ紐を壁の釘等のフックに掛止し、そのまま放置する。これで固形石鹸は十分な水切り、乾燥、ができる。
【００４２】  図１〜図２に基づいて以下に実施例を説明する。
【実施例１】
【００４３】（１）洗濯用ブラシ１の生地は、表がラッシェル網２を１枚、裏側がフラットネット３を１枚を重ねて組みとしたものである（ネット２枚構成のもの）。生地を裁断して同形の裁断片２枚を用意する。袋の底部が緩やかなＵ字形となる様に底部の両側角端部を欠切した同形の２枚の裁断片を縫い合わせて袋状にする。
裁断片の袋への加工は、必要な箇所を常法のミシン縫製で行う。【００４４】  寸法は、袋の口部の幅１２０ｍｍ、袋の深さは底部まで２００ｍｍ、のものを作成した。
これを手に装着した場合、袋の口部６の近辺の親指の付け根に当たる位置に親指用孔５（長さ５０ｍｍ）を設けてある。親指用孔５は、袋の生地の合わせ目の当該箇所を縫い合わせないことで形成できる。
袋の口端部の周囲を全長に亘り袋縫いにして、これに閉じ紐７を挿通し、且つ閉じ紐に摺動可能な止め具８を装着する。【００４５】  さらに、これを手に装着した場合、中指と薬指との間に当たる位置に、頂部の指先から下方向に５０ｍｍの長さの縫い止めを施して（袋の裁断片の２枚を、一体に縫い付ける）、指分け４を設ける。
【実施例２】
【００４６】（２）洗濯用ブラシ１の生地は、表がラッシェル網１、裏側がフラットネット２枚を重ねて組みとしたものである（ネット３枚構成）。
その他、形状、構成、縫製・加工等は実施例１の記載と同様であるから、説明を省略する。
【実施例３】
【００４７】（３）洗濯用ブラシ１の生地は、表がラッシェル網２、２ａの２枚、裏側がフラットネット３、３ａの２枚を重ねて組としたものである（ネット４枚構成）。
その他、形状、構成、縫製・加工等は実施例１の記載と同様であるから、説明を省略する。
【符号の説明】
【００４８】１  洗濯ブラシ
２、２ａ  ラッシェル網
３、３ａ  フラットネット
４  指分け
５  親指用孔
６  口部
７  閉じ紐
８  止め具
【図１】
0003155623.tif 000003
【図２】
0003155623.tif 000004